(57)【要約】【課題】  ユニット化された部品の着脱を容易に行い、かつ、この部品の着脱ができるスペースを有効利用する。【解決手段】  下部扉４には、灰皿１０（ユニット部品）の取り付けが可能なガイド部材２１と開口２２とを形成し、本体基部にはロック部材１９を備える固定基板１２を設け、下部扉４を閉めると、ロック部材１９が灰皿１０の取り外し方向における移動を規制する構造とした。したがって、灰皿１０の固定及び固定解除は下部扉４の開閉動作によって行えるようになる。また、灰皿１０以外の部品を灰皿１０と同様にユニット化し、ガイド部材２１に取り付け可能な構造にすることで、取り付け部２０が設けられたスペースの有効利用を図ることが可能になる。【選択図】        図７
2006212274.tif 000002
【特許請求の範囲】
【請求項１】
開閉自在な前面扉と、前記前面扉を支持する本体基部と備えた遊技機において、
前記前面扉の前面に着脱自在に組み付けられるユニット部品と、
前記本体基部の内部に配置され、前記前面扉を閉めると、前記前面に組みつけられた前記ユニット部品を固定し、前記前面扉を開くと、この固定を解除するロック部材とを備えたことを特徴とする遊技機。
【請求項２】
前記ロック部材は突条形状に形成され、
前記前面扉は、前記ユニット部品が挿入される挿入位置から前記ユニット部品をスライド移動させて前記前面に取り付けるガイド部材と、前記挿入位置の近傍に設けられた開口とを備え、
前記前面扉を閉めると、前記開口を挿通して前記ロック部材が前記前面に突出し、前記ユニット部品のスライド移動が規制されることを特徴とする請求項１記載の遊技機。
【発明の詳細な説明】
【技術分野】
【０００１】
本発明は、パチンコ店等の遊技場に設置して使用されるパチンコ機等の遊技機に関するものである。
【背景技術】
【０００２】
パチンコ店等の遊技場に設置して使用される遊技機の一つとして、パチンコ機が知られている。このパチンコ機は、基体となる本体基部の前面に上部扉及び下部扉からなる前面扉が設けられている。このうち、上部扉には略中方に窓部が設けられ、その内部に設けられた遊技領域を視認できるようになっている。一方、下部扉には、始動入賞口等の入賞領域に入賞すると払い出される賞球を受容する受け皿、パチンコ球を遊技領域に打ち出す場合に操作される操作ハンドル、灰皿等が設けられている。
【特許文献１】特開２００２−１１３２２８号公報
【発明の開示】
【発明が解決しようとする課題】
【０００３】
しかしながら、下部扉に設けられる受け皿は、多くのパチンコ球が受容できるようにサイズが大きくなっている。このため、受け皿が下部扉に対して占める割合が大きく、操作ハンドルや灰皿等の他の構造物の配置場所には制限があり、新規に他の構造物を下部扉に設けることは、配置上困難であるという問題がある。
【０００４】
また、近年においては、パチンコ機が配設される遊技場において遊技を行う遊技者は、女性や、煙草を吸わない遊技者が多くなっており、禁煙コーナーを設けている遊技場が増加している。さらに、遊技場によっては、各パチンコ機に対応するように灰皿を設けている場合も多い。これらの遊技場においては、下部扉に設けられる灰皿は不要となるが、灰皿は下部扉に対して固定されているので、パチンコ機に不要な機能が加味されてしまうことになり遊技場にとっては好ましくない。一方、灰皿を付加していないパチンコ機を製造する場合には、このパチンコ機を製造する遊技機メーカーは、新たに灰皿を組み付けない下部扉を製造することになり、パチンコ機自体の製造コストが高くなるという問題もある。
【０００５】
本発明は、かかる問題に鑑みてなされたものであり、その目的とするところは、灰皿を下部扉から着脱自在な構造にすることで灰皿が設けられていたスペースを共通化し、かつパチンコ機の灰皿を使用しない場合には、灰皿の替わりに他の機能を有する装置を組み付けることで、灰皿が組み付けられるスペースを有効利用することが可能な遊技機を提供することにある。
【課題を解決するための手段】
【０００６】
上記問題を解決するに当たり、本発明は、開閉自在な前面扉と、前記前面扉を支持する本体基部と備えた遊技機において、前記前面扉の前面に着脱自在に組み付けられるユニット部品と、前記本体基部の内部に配置され、前記前面扉を閉めると、前記前面に組みつけられた前記ユニット部品を固定し、前記前面扉を開くと、この固定を解除するロック部材とを備えたことを特徴とする。なお、前面扉とは、一つの扉によって一体的に構成されているもののみならず、例えば上部扉と下部扉とに分割構成されているものも含む。
【０００７】
なお、前記ロック部材は突条形状に形成され、前記前面扉は、前記ユニット部品が挿入される挿入位置から前記ユニット部品をスライド移動させて前記前面に取り付けるガイド部材と、前記挿入位置の近傍に設けられた開口とを備え、前記前面扉を閉めると、前記開口を挿通して前記ロック部材が前記前面に突出し、前記ユニット部品のスライド移動が規制されることが好ましい。
【発明の効果】
【０００８】
本発明によれば、開閉自在な前面扉と、前記前面扉を支持する本体基部と備えた遊技機において、前記前面扉の前面に着脱自在に組み付けられるユニット部品と、前記本体基部の内部に配置され、前記前面扉を閉めると、前記前面に組みつけられた前記ユニット部品を固定し、前記前面扉を開くと、この固定を解除するロック部材とを備えることとしたので、前面扉のユニット部品が取り付けられるスペースを共通スペースとして使用することができる。また、機能の異なるユニット部品を複数種類用意しておき、その中から選択してこのユニット部品を共通スペースに取り付けることで、このスペースを有効利用することが可能になる。また、遊技機メーカーは、ユニット部品の機能毎に前面扉を製造しなくともよく、共通スペースを有する一種類の前面扉と、この前面扉に着脱自在な複数種類のユニット部品とを別個に製造すればよいため、遊技機自体の製造コストを抑えることが可能になる。
【０００９】
また、本発明によれば、前記ロック部材は突条形状に形成され、前記前面扉は、前記ユニット部品が挿入される挿入位置から前記ユニット部品をスライド移動させて前記前面に取り付けるガイド部材と、前記挿入位置の近傍に設けられた開口とを備え、前記前面扉を閉めると、前記開口を挿通して前記ロック部材が前記前面に突出し、前記ユニット部品のスライド移動が規制されることとしたので、例えば、遊技店の店員等のようにユニット部品の交換に不慣れな者であっても、簡単にユニット部品の交換をすることが可能になる。
【発明を実施するための最良の形態】
【００１０】
本発明の一形態であるパチンコ機の構成を図１及び図２に基づいて説明する。パチンコ機１は、基体となる本体基部２の前面に上部扉３と下部扉４とからなる前面扉５が取り付けられている。上部扉３は、中央に開口６が設けられており、その裏面側にはガラス等からなる透光性を有するガラス扉７が開閉自在に取り付けられている。通常は、ガラス扉７は閉じ位置にあり、上部扉３の開口６を覆うようになっている。
【００１１】
下部扉４は、受け皿８、操作ハンドル９及び灰皿１０（ユニット部品）を備えている。受け皿８は下部扉４の上部に設けられており、遊技開始時に遊技者が使用するパチンコ球や、後述する始動入賞口１４等の各種入賞口にパチンコ球が入賞することによって得られる賞球を受容できるようになっている。操作ハンドル９は、受け皿８の下方に設けられており、図示しない発射装置の打ち出し強さを操作する。灰皿１０は、受け皿８の下方に着脱自在に設けられている。なお、灰皿１０の構造及び取り付け方法については後述する。
【００１２】
図２に示すように、本体基部２には、遊技盤１１及び固定基板１２が設けられている。遊技盤１１には、センター役物１３、始動入賞口１４、アタッカ１５、大入賞口１６及びアウト口１７等が設けられている。センター役物１３は図柄表示装置１８を備えている。図柄表示装置１８は液晶ディスプレイから構成されており、始動入賞口１４にパチンコ球が入賞した場合に開始される図柄の変動表示や、遊技者の興趣を盛り上げるキャラクター表示やアニメーション表示を行う。
【００１３】
始動入賞口１４は、センター役物１３の下方に設けられている。始動入賞口１４にパチンコ球が入賞すると、所定量の賞球が払い出されるとともに、特別遊技への移行抽選が行われる。アタッカ１５は、始動入賞口１４の下方に設けられており、開閉自在の板状の部材から構成されている。また、アタッカ１５の奥側には、大入賞口１６が設けられている。通常の遊技の場合にはアタッカ１５は閉じ位置にあり、大入賞口１６にパチンコ球が入賞しないようになっている。また、始動入賞口１４にパチンコ球が入賞して移行抽選が行われた結果、特別遊技に移行すると、アタッカ１５は開き位置に移動して大入賞口１６にパチンコ球が入賞しやすい状態になる。アウト口１７は、始動入賞口１４等に入賞しなかったパチンコ球を回収する。
【００１４】
受け皿８にパチンコ球を入れて操作ハンドル９を操作すると、発射装置がパチンコ球を打ち出す。このとき、打ち出されたパチンコ球は、遊技盤１１の盤面上を流下し、始動入賞口１４等に入賞しない場合にはアウト口１７に回収される。一方、始動入賞口１４に入賞すると、予め定められた個数の賞球が払い出されるとともに、移行抽選が行われる。移行抽選の結果は図柄表示装置１８において表示される。図柄表示装置１８では、まず図柄の変動表示を行い、所定時間経過後に図柄の停止表示が行われる。停止表示された図柄がいわゆる「大当たり」の場合には、特別遊技に移行する。特別遊技においては、アタッカ１５が閉じ位置から開き位置に移動し、パチンコ球が大入賞口１６に入賞しやすい状態となる。大入賞口１６へパチンコ球が入賞すると、予め定められた個数の賞球が払い出される。
【００１５】
固定基板１２は、本体基部２に設けられている板状の部材である。固定基板１２には、ロック部材１９が下部扉４へ向けて突出するように形成されている。ロック部材１９は突条形状をしており、固定基板１２の前面側から前方へ突出するように設けられている。
【００１６】
下部扉４には取り付け部２０が形成されている。取り付け部２０には、灰皿１０が着脱自在に取り付けられており、その構造は図３及び図４に示すようになっている。取り付け部２０は、ガイド部材２１及び開口２２から構成されている。ガイド部材２１は、下部扉４の前面側に突出するように形成されており、第１ガイド部２３及び第２ガイド部２４を備えている。第１ガイド部２３は、ガイド部材２１の左右両端に形成されており、直角に屈曲するように形成されている。また、第２ガイド部２４は直方体状に形成されており、第１ガイド部２３の間に設けられている。また、第１ガイド部２３及び第２ガイド部２４は、いずれもガイド部材２１の下面２５から上方に延出するように形成されている。なお、後述するように、このガイド部材２１には灰皿１０の係合片３２が挿入される。以下において、係合片３２がガイド部材２１に挿入される位置（図３においては、第１ガイド部２３の上端）のことを挿入位置という。開口２２は、挿入位置の近傍に設けられており、下部扉４が閉じ位置にあるときにはロック部材１９が挿通できるように形成されている。
【００１７】
次に、灰皿の構成を図５及び図６に基づいて説明する。灰皿１０は、本体３１と一対の係合片３２とから構成されている。本体３１は、上方が開口した箱状の部材であって、その内部は吸殻等を受容する灰受け部３３となっている。係合片３２は、直角に屈曲するように形成されている。本体３１の側から見ると、係合片３２は、本体３１から第１ガイド部２３の板厚分だけ本体３１の後方へ延出した後に屈曲し、向かって左側の係合片３２は本体３１の左端側へ、向かって右側の係合片３２は本体３１の右側へ延出するように形成されている。また、係合片３２のうち、屈曲前の部分には、下方に切り欠き３４が設けられている。
【００１８】
次に、灰皿１０を下部扉４に固定する固定方法を図７ないし図９に基づいて説明する。図７に示すように、灰皿１０を取り付け部２０の上方から挿入位置に向けて移動させ、係合片３２を挿入位置の近傍に位置付ける。ここで、ガイド部材２１に挿入される挿入方向へ灰皿１０をスライド移動させると、係合片３２が第１ガイド部２３に挿入する。そして、挿入位置からさらに灰皿１０をスライド移動させて、挿入方向への移動が規制される取り付け位置まで灰皿１０を挿入する。灰皿１０が取り付け位置に達すると、係合片３２と第１ガイド部２３との係合によって、灰皿１０は取り付け部２０に取り付けられる。
【００１９】
次に、図８に示すように、下部扉４を閉じ位置に移動させる（図８中Ａ方向）。下部扉４を閉じ位置に移動させると、ロック部材１９が開口２２へ挿通される。ここで、下部扉４が閉じ位置に達すると、図９に示すように、ロック部材１９の先端はガイド部材２１の上方に位置付けられる。したがって、灰皿１０はロック部材１９によって取り外し方向における移動が規制されるため、灰皿１０は取り付け部２０に固定される。
【００２０】
なお、下部扉４から灰皿１０を取り外す場合には、閉じ位置にある下部扉４を開いて、ロック部材１９の先端をガイド部材２１の上方から下部扉４の裏面側に位置付けさせればよい。このようにガイド部材２１を位置付けさせることにより、灰皿１０の取り外し方向への移動の規制が解除され、灰皿１０を取り付け位置から挿入位置へ向けてスライド移動させることが可能になる。ここで、灰皿１０を取り付け位置から挿入方向へ向けてスライド移動させ、係合片３２が挿入位置よりも上方に位置するようになると、係合片３２とガイド部材２１との係合が解除されて、灰皿１０は、ガイド部材２１から取り外される。
【００２１】
以上のように、本実施形態によれば、下部扉の開閉動作によって取り付け部に取り付けられた灰皿の固定及び解除が可能になるので、例えば、遊技店の店員のように灰皿の着脱作業に不慣れな者であっても、容易に当該作業を行うことが可能になる。
【００２２】
また、灰皿の他にも、例えば図１０に示すように球計数カウンタ５１、押しボタン５２及び盲蓋５３のようなユニット部品を予め製造しておき、灰皿をこれらのユニット部品に交換できるようにしておくことにより、取り付け部２０を備える下部扉４と、それぞれの機能を有する球計数カウンタ５１等のユニット部品とを別個に製造することが可能になる。
【００２３】
したがって、本実施形態の場合には、取り付け部を備える下部扉と、取り付け部への着脱が可能なユニット部品とを別個に製造することができるので、これらの部品が一体的に成形された下部扉をそれぞれ別個に製造する場合と比較して、その製造コストを軽減させることが可能になる。
【００２４】
また、例えば、灰皿１０を使用しない場合には、灰皿１０を取り外して球係数カウンタ５１等の他の部品を取り付け部２０に取り付けることができるので、取り付け部２０が設けられているスペースをより有効に使用することが可能になる。
【００２５】
なお、盲蓋５３は、灰皿１０や球計数カウンタ５１等のユニット部品を取り付け部２０に取り付けない場合に使用される。この盲蓋５３を取り付けることにより、取り付け部２０は下部扉４の前面に露呈しなくなるので、取り付け部２０が遊技者によって悪用されるのを防ぐことが可能となる。
【００２６】
なお、本実施形態のパチンコ機では、取り付け部に取り付けられる部品として、灰皿、球係数カウンタ、押しボタン及び盲蓋を例示しているが、これら以外の部品を取り付け部に取り付けることができるのは言うまでもない。
【００２７】
また、本実施形態のパチンコ機では、下部扉を閉じると開口の上方にロック部材が挿通されて、灰皿の上方にロック部材の先端が延出するような構造にしているが、本発明はこれに限定されるものではなく、取り付け部に取り付けられた灰皿のスライド移動が規制できれば、そのロック部材が延出する場所は灰皿の上方でなくてもよい。例えば、図１１のような構造にしてもよい。以下において、その変形例について説明する。
【００２８】
灰皿６１の係合片６２には、その中央部に切り欠き６３が形成されている。一方、固定基板６４にはロック部材６５が形成されている。ロック部材６５は矩形状に形成されており、灰皿６１が取り付け部６６に取り付けられている場合に、この切り欠き６３と嵌合するように形成されている。また、取り付け部６６には、挿入位置から取り付け位置までスライド移動する灰皿６１を案内するガイド部材６７と、ロック部材６５が挿通可能な開口６８とが設けられている。
【００２９】
このような構成において、灰皿６１は次のような方法によって取り付け部６６に固定される。まず、灰皿６１を挿入位置に挿入して、取り付け位置までスライド移動させる。このとき、灰皿６１は、ガイド部材６７に案内されながら取り付け位置までスライド移動される。灰皿６１を取り付け位置に取り付けた後、下部扉４を閉じ位置に移動させる。このとき、ロック部材６５の先端は開口６８を挿通し、下部扉４が閉じ位置に達すると、ロック部材６５の先端部が係合片６２の切り欠き６３に嵌合する。このように、切り欠き６３とロック部材６５とが嵌合すると、灰皿６１とロック部材６５との関係は図１２に示すようになり、ロック部材６５によって灰皿６１のスライド移動が規制されるため、灰皿６１は、取り付け部６６に固定される。
【００３０】
なお、下部扉４から灰皿６１を取り外す場合には、閉じ位置にある下部扉４を開いて、ロック部材６５を下部扉４の裏面側に位置付ければよい。このようにガイド部材６７を位置付けることにより、ロック部材６５と切り欠き６３との嵌合が解除され、灰皿１０の取り外し方向への移動の規制が解除される。したがって、灰皿６１を取り付け位置から挿入位置へ向けてスライド移動させることが可能になる。ここで、灰皿６１を取り付け位置から挿入方向へ向けてスライド移動させ、係合片６２の位置を挿入位置よりも上方に位置付けると、係合片６２とガイド部材６７との係合が解除されて、灰皿６１は、ガイド部材６７から取り外される。
【００３１】
なお、本実施の形態は、パチンコ機に適用した例について説明しているが、本発明はこれに限定されるものではなく、スロットマシン等の他の遊技機に使用することも可能である。
【図面の簡単な説明】
【００３２】
【図１】本形態のパチンコ機を表した外観斜視図である。
【図２】本形態のパチンコ機の前面扉を開放した場合における外観斜視図である。
【図３】取り付け部の前面側の構造を表した部分拡大図である。
【図４】取り付け部の裏面側の構造を表した部分拡大図である。
【図５】灰皿の前面側の構造を表した斜視図である。
【図６】灰皿の裏面側の構造を表した斜視図である。
【図７】灰皿を取り付け部に取り付ける取り付け方法を説明する説明図である。
【図８】灰皿を取り付け部に取り付ける取り付け方法を説明する説明図である。
【図９】灰皿を取り付け部に取り付ける取り付け方法を説明する説明図である。
【図１０】本形態のパチンコ機の下部扉に着脱可能な交換部品の一例を表した斜視図である。
【図１１】本形態のパチンコ機における灰皿及び取り付け部の変形例の構造を説明する説明図である。
【図１２】灰皿を下部扉に固定し、下部扉を閉じた場合における係合片とロック部材との位置関係を表した縦断面図である。
【符号の説明】
【００３３】
１  パチンコ機（遊技機）
２  本体基部
５  前面扉
１０，６１  灰皿（ユニット部品）
１９，６５  ロック部材
２２，６８  開口
２１，６７  ガイド部（ガイド部材）
５１  計数カウンタ（ユニット部品）
５２  押しボタン（ユニット部品）
５３  盲蓋（ユニット部品）
【図１】
2006212274.tif 000003
【図２】
2006212274.tif 000004
【図３】
2006212274.tif 000005
【図４】
2006212274.tif 000006
【図５】
2006212274.tif 000007
【図６】
2006212274.tif 000008
【図７】
2006212274.tif 000009
【図８】
2006212274.tif 000010
【図９】
2006212274.tif 000011
【図１０】
2006212274.tif 000012
【図１１】
2006212274.tif 000013
【図１２】
2006212274.tif 000014